【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
レーザー光照射部材と、前記レーザー光照射部材から発せられるレーザー光の光路を遮断するシャッタと、前記光路を遮断する遮断位置から退避する退避位置へ前記シャッタを移動させる本体当接部と、を有するスキャナーユニットと、プロセスカートリッジの装着方向において、前記スキャナーユニットよりも上流側に設けられた本体フレームと、前記本体フレームに設けられた第１の開口部と、前記スキャナーユニットに設けられた第２の開口部と、本体ガイド部と、を有する電子写真画像形成装置本体に着脱可能なプロセスカートリッジであって、
電子写真感光体ドラムと、
前記電子写真感光体ドラムに作用するプロセス手段と、
前記電子写真感光体ドラムを支持するカートリッジ枠体と、
前記カートリッジ枠体の側面から外側に前記電子写真感光体ドラムの軸線と同軸線上に突出して設けられた、前記プロセスカートリッジを前記画像形成装置本体に位置決めをするカートリッジ位置決め突出部と、
前記カートリッジ枠体の側面から外側に突出して設けられた、前記プロセスカートリッジの姿勢を規制するカートリッジ姿勢決めガイド部と、
前記カートリッジ位置決め突出部及び前記カートリッジ姿勢決めガイド部を前記本体ガイド部に係合させて、前記プロセスカートリッジを前記画像形成装置本体に装着する際に、前記第１の開口部に続いて前記第２の開口部を通過して前記シャッタを前記退避位置へ移動させるために前記本体当接部と当接する、及び、前記カートリッジ突出部及び前記カートリッジ姿勢決めガイド部を前記画像形成装置本体とは異なる機能の画像形成装置本体に設けられた本体ガイド部に係合させて、前記プロセスカートリッジを前記異なる機能の画像形成装置本体に装着する際には、前記プロセスカートリッジを前記異なる機能の画像形成装置本体に装着する途中で、前記プロセスカートリッジの装着を阻止するために、前記異なる機能の画像形成装置本体に設けられた本体フレームと当接するカートリッジ当接部と、
を有することを特徴とするプロセスカートリッジ。  
【請求項２】
前記カートリッジ当接部は、前記プロセスカートリッジが前記画像形成装置本体に装着された状態において、前記カートリッジ枠体から上方に突出した突起である請求項１に記載のプロセスカートリッジ。
【請求項３】
前記プロセスカートリッジは、前記レーザー光を前記電子写真感光体ドラムへ照射するために前記プロセスカートリッジ枠体に設けられた露光開口を有する、そして、前記カートリッジ当接部は、前記電子写真感光体ドラムの軸線方向において、前記露光開口の一端側に設けられている請求項１又は請求項２に記載のプロセスカートリッジ。
【請求項４】
前記カートリッジ当接部は、前記機能の異なる画像形成装置本体に用いられるプロセスカートリッジに設けられたカートリッジ当接部とは配置が異なる、
ここで、前記機能の異なる画像形成装置本体に用いられるプロセスカートリッジに設けられたカートリッジ当接部は、電子写真感光体ドラムの軸方向において前記機能の異なる画像形成装置本体に用いられるプロセスカートリッジに設けられた露光開口の他端側に設けられている請求項３に記載のプロセスカートリッジ。
【請求項５】
前記プロセスカートリッジを前記画像形成装置本体とは機能の異なる電子写真画像形成装置本体に装着する際に、前記カートリッジ当接部は、前記機能の異なる画像形成装置本体に設けられた本体フレームと前記カートリッジ当接部とが当接している状態を目視で確認できる位置に設けられている請求項１から請求項４の何れか１つに記載のプロセスカートリッジ。
【請求項６】
プロセスカートリッジを着脱可能であって、記録媒体に画像を形成する電子写真画像形成装置において、
（１）レーザー光照射部材と、前記レーザー光照射部材から発せられるレーザー光の光路を遮断するシャッタと、前記光路を遮断する遮断位置から退避する退避位置へ前記シャッタを移動させる本体当接部と、を有するスキャナーユニットと、
（２）プロセスカートリッジの装着方向において、前記スキャナーユニットよりも上流側に設けられた本体フレームと、
（３）前記本体フレームに設けられた第１の開口部と、
（４）前記スキャナーユニットに設けられた第２の開口部と、
（５）本体ガイド部と、
（６）電子写真感光体ドラムと、前記電子写真感光体ドラムに作用するプロセス手段と、前記電子写真感光体ドラムを支持するカートリッジ枠体と、前記カートリッジ枠体の側面から外側に前記電子写真感光体ドラムの軸線と同軸線上に突出して設けられた、前記プロセスカートリッジを前記画像形成装置本体に位置決めをするカートリッジ位置決め突出部と、前記カートリッジ枠体の側面から外側に突出して設けられた、前記プロセスカートリッジの姿勢を規制するカートリッジ姿勢決めガイド部と、前記カートリッジ突出部及び前記カートリッジ姿勢決めガイド部を前記本体ガイド部に係合させて、前記プロセスカートリッジを前記画像形成装置本体に装着する際に、前記第１の開口部に続いて前記第２の開口部を通過して前記シャッタを前記退避位置へ移動させるために前記本体当接部と当接する、及び、前記カートリッジ突出部及び前記カートリッジ姿勢決めガイド部を前記画像形成装置本体とは異なる機能の画像形成装置本体に設けられた本体ガイド部に係合させて、前記プロセスカートリッジを前記異なる機能の画像形成装置本体に装着する際には、前記プロセスカートリッジを前記異なる機能の画像形成装置本体に装着する途中で、前記プロセスカートリッジの装着を阻止するために、前記異なる機能の画像形成装置本体に設けられた本体フレームと当接するカートリッジ当接部と、を有するプロセスカートリッジを取り外し可能に装着する装着手段と、
（７）前記記録媒体を搬送するための搬送手段と、
を有する特徴とする電子写真画像形成装置。
【請求項７】
レーザー光照射部材と、前記レーザー光照射部材から発せられるレーザー光の光路を遮断するシャッタと、前記光路を遮断する遮断位置から退避する退避位置へ前記シャッタを移動させる本体当接部と、を有するスキャナーユニットと、プロセスカートリッジの装着方向において、前記スキャナーユニットよりも上流側に設けられた本体フレームと、前記本体フレームに設けられた第１の開口部と、前記スキャナーユニットに設けられた第２の開口部と、本体ガイド部と、を有する電子写真画像形成装置本体に着脱可能なプロセスカートリッジであって、
電子写真感光体ドラムと、
前記電子写真感光体ドラムに作用するプロセス手段と、
前記電子写真感光体ドラムを支持するカートリッジ枠体と、
前記プロセスカートリッジを前記画像形成装置本体に装着する際に前記本体ガイド部と係合して前記プロセスカートリッジをガイドする、前記カートリッジ枠体から突出して設けられたカートリッジ突出部と、
前記カートリッジ突出部を前記本体ガイド部に係合させて、前記プロセスカートリッジを前記画像形成装置本体に装着する際に、前記第１の開口部に続いて前記第２の開口部を通過して前記シャッタを前記退避位置へ移動させるために前記本体当接部と当接するカートリッジ当接部であって、前記カートリッジ突出部を前記画像形成装置本体とは異なる機能の画像形成装置本体に設けられた本体ガイド部に係合させて、前記プロセスカートリッジを前記異なる機能の画像形成装置本体に装着する際には、前記プロセスカートリッジを前記異なる機能の画像形成装置本体に装着する途中で、前記プロセスカートリッジの装着を阻止するために、前記異なる機能の画像形成装置本体に設けられた本体フレームと当接する位置を取りうる、前記カートリッジ枠体とは別部品で設けられたカートリッジ当接部と、
を有することを特徴とするプロセスカートリッジ。
【請求項８】
前記カートリッジ突出部は、前記カートリッジ枠体の側面から外側に前記電子写真感光体ドラムの軸線と同軸線上に突出して設けられた、前記プロセスカートリッジを前記画像形成装置本体に位置決めをするカートリッジ位置決め突出部であることを特徴とする請求項７に記載のプロセスカートリッジ。
【請求項９】
前記プロセスカートリッジは、前記レーザー光を前記電子写真感光体ドラムへ照射するために前記プロセスカートリッジ枠体に設けられた露光開口を有する、そして、前記カートリッジ当接部は、前記電子写真感光体ドラムの軸線方向において、前記露光開口の一端側に設けられている請求項７は請求項８に記載のプロセスカートリッジ。
【請求項１０】
前記カートリッジ当接部は、前記機能の異なる画像形成装置本体に用いられるプロセスカートリッジに設けられたカートリッジ当接部とは配置が異なる、
ここで、前記機能の異なる画像形成装置本体に用いられるプロセスカートリッジに設けられたカートリッジ当接部は、電子写真感光体ドラムの軸方向において前記機能の異なる画像形成装置本体に用いられるプロセスカートリッジに設けられた露光開口の他端側に設けられている請求項９に記載のプロセスカートリッジ。
【請求項１１】
プロセスカートリッジを着脱可能であって、記録媒体に画像を形成する電子写真画像形成装置において、
（１）レーザー光照射部材と、前記レーザー光照射部材から発せられるレーザー光の光路を遮断するシャッタと、前記光路を遮断する遮断位置から退避する退避位置へ前記シャッタを移動させる本体当接部と、を有するスキャナーユニットと、
（２）プロセスカートリッジの装着方向において、前記スキャナーユニットよりも上流側に設けられた本体フレームと、
（３）前記本体フレームに設けられた第１の開口部と、
（４）前記スキャナーユニットに設けられた第２の開口部と、
（５）本体ガイド部と、
（６）電子写真感光体ドラムと、前記電子写真感光体ドラムに作用するプロセス手段と、前記電子写真感光体ドラムを支持するカートリッジ枠体と、前記プロセスカートリッジを前記画像形成装置本体に装着する際に前記本体ガイド部と係合して前記プロセスカートリッジをガイドする、前記カートリッジ枠体から突出して設けられたカートリッジ突出部と、前記カートリッジ突出部を前記本体ガイド部に係合させて、前記プロセスカートリッジを前記画像形成装置本体に装着する際に、前記第１の開口部に続いて前記第２の開口部を通過して前記シャッタを前記退避位置へ移動させるために前記本体当接部と当接するカートリッジ当接部であって、前記カートリッジ突出部を前記画像形成装置本体とは異なる機能の画像形成装置本体に設けられた本体ガイド部に係合させて、前記プロセスカートリッジを前記異なる機能の画像形成装置本体に装着する際には、前記プロセスカートリッジを前記異なる機能の画像形成装置本体に装着する途中で、前記プロセスカートリッジの装着を阻止するために、前記異なる機能の画像形成装置本体に設けられた本体フレームと当接する位置を取りうる、前記カートリッジ枠体とは別部品で設けられたカートリッジ当接部と、を有するプロセスカートリッジを取り外し可能に装着する装着手段と、
（７）前記記録媒体を搬送するための搬送手段と、
を有する電子写真画像形成装置。
【手続補正２】
【補正対象書類名】明細書
【補正対象項目名】発明の名称
【補正方法】変更
【補正の内容】
【発明の名称】プロセスカートリッジ及び電子写真画像形成装置
【手続補正３】
【補正対象書類名】明細書
【補正対象項目名】０００１
【補正方法】変更
【補正の内容】
【０００１】
本発明は電子写真画像形成装置本体に着脱可能なプロセスカートリッジ、電子写真画像形成装置に関するものである。ここでプロセスカートリッジとは、プロセス手段としての帯電手段、現像手段またはクリーニング手段と電子写真感光体とを一体的にカートリッジ化し、このカートリッジを画像形成装置本体に対して着脱可能とするものである。或はプロセス手段としての帯電手段、現像手段、クリーニング手段の少なくとも一つと電子写真感光体とを一体的にカートリッジ化して画像形成装置本体に着脱可能とするものである。更に、少なくともプロセス手段としての現像手段と電子写真感光体とを一体的にカートリッジ化して画像形成装置本体に着脱可能にするものをいう。
【手続補正４】
【補正対象書類名】明細書
【補正対象項目名】０００８
【補正方法】変更
【補正の内容】
【０００８】
本発明の目的は、プロセスカートリッジを、機能の異なる電子写真画像形成装置本体へ誤って装着するのを未然に防止できるプロセスカートリッジ、電子写真画像形成装置を提供することである。
【手続補正５】
【補正対象書類名】明細書
【補正対象項目名】０００９
【補正方法】変更
【補正の内容】
【０００９】
また、本発明の他の目的は、プロセスカートリッジに設けられたカートリッジ当接部が、レーザーシャッタをレーザー光路を解放する退避位置へ移動させる機能と、前記プロセスカートリッジを機能の異なる画像形成装置本体へ誤って装着するのを未然に防止する機能を兼ねるプロセスカートリッジ、電子写真画像形成装置を提供することである。
【手続補正６】
【補正対象書類名】明細書
【補正対象項目名】００１０
【補正方法】変更
【補正の内容】
【００１０】
また、本発明の他の目的は、操作者が、プロセスカートリッジを機能の異なる電子写真画像形成装置に装着しようとした際に、誤装着を視認できる位置にカートリッジ当接部を設けたプロセスカートリッジ、電子写真画像形成装置を提供することである。
【手続補正７】
【補正対象書類名】明細書
【補正対象項目名】００１１
【補正方法】変更
【補正の内容】
【００１１】
また、本発明の他の目的は、プロセスカートリッジのプロセス手段を支持する枠体から上方へ突出させた突起のような簡単な構成でもって、非互換を実現したプロセスカートリッジ、電子写真画像形成装置を提供することである。
【手続補正８】
【補正対象書類名】明細書
【補正対象項目名】００１２
【補正方法】変更
【補正の内容】
【００１２】
本出願に係る第１の発明はレーザー光照射部材と、前記レーザー光照射部材から発せられるレーザー光の光路を遮断するシャッタと、前記光路を遮断する遮断位置から退避する退避位置へ前記シャッタを移動させる本体当接部と、を有するスキャナーユニットと、プロセスカートリッジの装着方向において、前記スキャナーユニットよりも上流側に設けられた本体フレームと、前記本体フレームに設けられた第１の開口部と、前記スキャナーユニットに設けられた第２の開口部と、本体ガイド部と、を有する電子写真画像形成装置本体に着脱可能なプロセスカートリッジであって、  電子写真感光体ドラムと、  前記電子写真感光体ドラムに作用するプロセス手段と、前記電子写真感光体ドラムを支持するカートリッジ枠体と、前記カートリッジ枠体の側面から外側に前記電子写真感光体ドラムの軸線と同軸線上に突出して設けられた、前記プロセスカートリッジを前記画像形成装置本体に位置決めをするカートリッジ位置決め突出部と、前記カートリッジ枠体の側面から外側に突出して設けられた、前記プロセスカートリッジの姿勢を規制するカートリッジ姿勢決めガイド部と、前記カートリッ位置決め突出部及び前記カートリッジ姿勢決めガイド部を前記本体ガイド部に係合させて、前記プロセスカートリッジを前記画像形成装置本体に装着する際に、前記第１の開口部に続いて前記第２の開口部を通過して前記シャッタを前記退避位置へ移動させるために前記本体当接部と当接する、及び、前記カートリッジ突出部及び前記カートリッジ姿勢決めガイド部を前記画像形成装置本体とは異なる機能の画像形成装置本体に設けられた本体ガイド部に係合させて、前記プロセスカートリッジを前記異なる機能の画像形成装置本体に装着する際には、前記プロセスカートリッジを前記異なる機能の画像形成装置本体に装着する途中で、前記プロセスカートリッジの装着を阻止するために、前記異なる機能の画像形成装置本体に設けられた本体フレームと当接するカートリッジ当接部と、を有することを特徴とするプロセスカートリッジである。  
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
本出願に係る第３の発明は前記プロセスカートリッジは、前記レーザー光を前記電子写真感光体ドラムへ照射するために前記プロセスカートリッジ枠体に設けられた露光開口を有する、そして、前記カートリッジ当接部は、前記電子写真感光体ドラムの軸線方向において、前記露光開口の一端側に設けられている第１又は第２の発明に記載のプロセスカートリッジである。
【手続補正１１】
【補正対象書類名】明細書
【補正対象項目名】００１６
【補正方法】変更
【補正の内容】
【００１６】
本出願に係る第４の発明は前記カートリッジ当接部は、前記機能の異なる画像形成装置本体に用いられるプロセスカートリッジに設けられたカートリッジ当接部とは配置が異なる、ここで、前記機能の異なる画像形成装置本体に用いられるプロセスカートリッジに設けられたカートリッジ当接部は、電子写真感光体ドラムの軸方向において前記機能の異なる画像形成装置本体に用いられるプロセスカートリッジに設けられた露光開口の他端側に設けられている第３の発明に記載のプロセスカートリッジである。
【手続補正１２】
【補正対象書類名】明細書
【補正対象項目名】００１７
【補正方法】変更
【補正の内容】
【００１７】
本出願に係る第５の発明は前記プロセスカートリッジを前記画像形成装置本体とは機能の異なる電子写真画像形成装置本体に装着する際に、前記カートリッジ当接部は、前記機能の異なる画像形成装置本体に設けられた本体フレームと前記カートリッジ当接部とが当接している状態を目視で確認できる位置に設けられている第１から第４の何れか１つの発明に記載のプロセスカートリッジである。
【手続補正１３】
【補正対象書類名】明細書
【補正対象項目名】００１８
【補正方法】変更
【補正の内容】
【００１８】
本出願に係る第６の発明はプロセスカートリッジを着脱可能であって、記録媒体に画像を形成する電子写真画像形成装置において、
（１）レーザー光照射部材と、前記レーザー光照射部材から発せられるレーザー光の光路を遮断するシャッタと、前記光路を遮断する遮断位置から退避する退避位置へ前記シャッタを移動させる本体当接部と、を有するスキャナーユニットと、
（２）プロセスカートリッジの装着方向において、前記スキャナーユニットよりも上流側に設けられた本体フレームと、
（３）前記本体フレームに設けられた第１の開口部と、
（４）前記スキャナーユニットに設けられた第２の開口部と、
（５）本体ガイド部と、
（６）電子写真感光体ドラムと、前記電子写真感光体ドラムに作用するプロセス手段と、前記電子写真感光体ドラムを支持するカートリッジ枠体と、前記カートリッジ枠体の側面から外側に前記電子写真感光体ドラムの軸線と同軸線上に突出して設けられた、前記プロセスカートリッジを前記画像形成装置本体に位置決めをするカートリッジ位置決め突出部と、前記カートリッジ枠体の側面から外側に突出して設けられた、前記プロセスカートリッジの姿勢を規制するカートリッジ姿勢決めガイド部と、前記カートリッジ突出部及び前記カートリッジ姿勢決めガイド部を前記本体ガイド部に係合させて、前記プロセスカートリッジを前記画像形成装置本体に装着する際に、前記第１の開口部に続いて前記第２の開口部を通過して前記シャッタを前記退避位置へ移動させるために前記本体当接部と当接する、及び、前記カートリッジ突出部及び前記カートリッジ姿勢決めガイド部を前記画像形成装置本体とは異なる機能の画像形成装置本体に設けられた本体ガイド部に係合させて、前記プロセスカートリッジを前記異なる機能の画像形成装置本体に装着する際には、前記プロセスカートリッジを前記異なる機能の画像形成装置本体体に装着する途中で、前記プロセスカートリッジの装着を阻止するために、前記異なる機能の画像形成装置本体に設けられた本体フレームと当接するカートリッジ当接部と、を有するプロセスカートリッジを取り外し可能に装着する装着手段と、
（７）前記記録媒体を搬送するための搬送手段と、
を有する特徴とする電子写真画像形成装置である。
【手続補正１４】
【補正対象書類名】明細書
【補正対象項目名】００１９
【補正方法】変更
【補正の内容】
【００１９】
本出願に係る第７の発明はレーザー光照射部材と、前記レーザー光照射部材から発せられるレーザー光の光路を遮断するシャッタと、前記光路を遮断する遮断位置から退避する退避位置へ前記シャッタを移動させる本体当接部と、を有するスキャナーユニットと、プロセスカートリッジの装着方向において、前記スキャナーユニットよりも上流側に設けられた本体フレームと、前記本体フレームに設けられた第１の開口部と、前記スキャナーユニットに設けられた第２の開口部と、本体ガイド部と、を有する電子写真画像形成装置本体に着脱可能なプロセスカートリッジであって、電子写真感光体ドラムと、前記電子写真感光体ドラムに作用するプロセス手段と、前記電子写真感光体ドラムを支持するカートリッジ枠体と、前記プロセスカートリッジを前記画像形成装置本体に装着する際に前記本体ガイド部と係合して前記プロセスカートリッジをガイドする、前記カートリッジ枠体から突出して設けられたカートリッジ突出部と、前記カートリッジ突出部を前記本体ガイド部に係合させて、前記プロセスカートリッジを前記画像形成装置本体に装着する際に、前記第１の開口部に続いて前記第２の開口部を通過して前記シャッタを前記退避位置へ移動させるために前記本体当接部と当接するカートリッジ当接部であって、前記カートリッジ突出部を前記画像形成装置本体とは異なる機能の画像形成装置本体に設けられた本体ガイド部に係合させて、前記プロセスカートリッジを前記異なる機能の画像形成装置本体に装着する際には、前記プロセスカートリッジを前記異なる機能の画像形成装置本体に装着する途中で、前記プロセスカートリッジの装着を阻止するために、前記異なる機能の画像形成装置本体に設けられた本体フレームと当接する位置を取りうる、前記カートリッジ枠体とは別部品で設けられたカートリッジ当接部と、を有することを特徴とするプロセスカートリッジである。
【手続補正１５】
【補正対象書類名】明細書
【補正対象項目名】００２０
【補正方法】変更
【補正の内容】
【００２０】
本出願に係る第８の発明は前記カートリッジ突出部は、前記カートリッジ枠体の側面から外側に前記電子写真感光体ドラムの軸線と同軸線上に突出して設けられた、前記プロセスカートリッジを前記画像形成装置本体に位置決めをするカートリッジ位置決め突出部であることを特徴とする第７の発明に記載のプロセスカートリッジである。
【手続補正１６】
【補正対象書類名】明細書
【補正対象項目名】００２１
【補正方法】変更
【補正の内容】
【００２１】
本出願に係る第９の発明は前記プロセスカートリッジは、前記レーザー光を前記電子写真感光体ドラムへ照射するために前記プロセスカートリッジ枠体に設けられた露光開口を有する、そして、前記カートリッジ当接部は、前記電子写真感光体ドラムの軸線方向において、前記露光開口の一端側に設けられている第７は第８の発明に記載のプロセスカートリッジである。
【手続補正１７】
【補正対象書類名】明細書
【補正対象項目名】００２２
【補正方法】変更
【補正の内容】
【００２２】
本出願に係る第１０の発明は前記カートリッジ当接部は、前記機能の異なる画像形成装置本体に用いられるプロセスカートリッジに設けられたカートリッジ当接部とは配置が異なる、ここで、前記機能の異なる画像形成装置本体に用いられるプロセスカートリッジに設けられたカートリッジ当接部は、電子写真感光体ドラムの軸方向において前記機能の異なる画像形成装置本体に用いられるプロセスカートリッジに設けられた露光開口の他端側に設けられている第９の発明に記載のプロセスカートリッジである。
【手続補正１８】
【補正対象書類名】明細書
【補正対象項目名】００２３
【補正方法】変更
【補正の内容】
【００２３】
本出願に係る第１１の発明はプロセスカートリッジを着脱可能であって、記録媒体に画像を形成する電子写真画像形成装置において、
（１）レーザー光照射部材と、前記レーザー光照射部材から発せられるレーザー光の光路を遮断するシャッタと、前記光路を遮断する遮断位置から退避する退避位置へ前記シャッタを移動させる本体当接部と、を有するスキャナーユニットと、
（２）プロセスカートリッジの装着方向において、前記スキャナーユニットよりも上流側に設けられた本体フレームと、
（３）前記本体フレームに設けられた第１の開口部と、
（４）前記スキャナーユニットに設けられた第２の開口部と、
（５）本体ガイド部と、
（６）電子写真感光体ドラムと、前記電子写真感光体ドラムに作用するプロセス手段と、前記電子写真感光体ドラムを支持するカートリッジ枠体と、前記プロセスカートリッジを前記画像形成装置本体に装着する際に前記本体ガイド部と係合して前記プロセスカートリッジをガイドする、前記カートリッジ枠体から突出して設けられたカートリッジ突出部と、前記カートリッジ突出部を前記本体ガイド部に係合させて、前記プロセスカートリッジを前記画像形成装置本体に装着する際に、前記第１の開口部に続いて前記第２の開口部を通過して前記シャッタを前記退避位置へ移動させるために前記本体当接部と当接するカートリッジ当接部であって、前記カートリッジ突出部を前記画像形成装置本体とは異なる機能の画像形成装置本体に設けられた本体ガイド部に係合させて、前記プロセスカートリッジを前記異なる機能の画像形成装置本体に装着する際には、前記プロセスカートリッジを前記異なる機能の画像形成装置本体に装着する途中で、前記プロセスカートリッジの装着を阻止するために、前記異なる機能の画像形成装置本体に設けられた本体フレームと当接する位置を取りうる、前記カートリッジ枠体とは別部品で設けられたカートリッジ当接部と、を有するプロセスカートリッジを取り外し可能に装着する装着手段と、
（７）前記記録媒体を搬送するための搬送手段と、
を有する電子写真画像形成装置である。
【手続補正１９】
【補正対象書類名】明細書
【補正対象項目名】００２４
【補正方法】変更
【補正の内容】
【００２４】
以上説明したように本願発明によれば、プロセスカートリッジを機能の異なる電子写真画像形成装置本体に誤って装着するのを防止できる。また、プロセスカートリッジに設けられたカートリッジ当接部が、シャッタをレーザー光の光路を遮断する遮断位置から退避位置へ移動させる機能と、前記プロセスカートリッジを機能の異なる画像形成装置本体に誤って装着するのを防止する機能を兼ねることができる。